(57)【要約】【課題】身飾品の販売効率を上げるとともに、消費者が充分に満足できる買い物の機会を提供できる身飾品販売システムおよび身飾品販売方法を提供する。【解決手段】身飾品販売システム１は、販売店舗で使用されるタブレット端末２と、販売用サーバ３と、指輪等の製造業者が使用する製造業者端末４を備える。また、タブレット端末２は、商品の情報に関する販売用ソフトウェア６が備える。【選択図】図１
2014130426.tif 000002
【特許請求の範囲】
【請求項１】
宝石と該宝石に取付けられる枠とを有する身飾品のデザインに関する情報である身飾品デザイン情報を表示する第１の表示工程と、
該第１の表示工程で表示した前記身飾品デザイン情報の中から選ばれた身飾品の宝石の大きさに関する宝石情報と、前記第１の表示工程で表示した前記身飾品デザイン情報の中から選ばれた身飾品の枠に関する枠情報を表示する第２の表示工程と、
該第２の表示工程で表示した前記宝石情報及び前記枠情報の中から選ばれた宝石と枠とを組み合わせた身飾品を身飾品受注情報として、記憶若しくは送信する受注情報処理工程とを備える
身飾品販売システム。
【請求項２】
前記第２の表示工程は、前記第１の表示工程で表示した前記身飾品デザイン情報の中から選ばれた身飾品の枠を形成するのに必要な素材の量に関する素材量情報を表示すると共に、同素材の相場及び前記素材量情報に対応した枠価格情報を表示する
請求項１に記載の身飾品販売システム。
【請求項３】
指輪の幅と内径に関する情報である指輪寸法情報を表示する第１の表示工程と、
該第１の表示工程で表示した前記指輪寸法情報の中から選ばれた指輪の素材に関する指輪素材情報を表示する第２の表示工程と、
該第２の表示工程で表示した前記指輪素材情報の中から選ばれた素材で形成された指輪を指輪受注情報として、記憶若しくは送信する受注情報処理工程とを備える
身飾品販売システム。
【請求項４】
宝石と該宝石に取付けられる枠とを有する身飾品のデザインに関する情報である身飾品デザイン情報を所定の端末に表示して提示する第１の提示工程と、宝石と該宝石に取付けられる枠とを有する身飾品のサンプルを提示するサンプル提示工程とを有する第１のステップと、
該第１のステップで提示した前記身飾品デザイン情報または前記サンプルの中から選ばれた身飾品の宝石の大きさに関する宝石情報と、同第１のステップで提示した同身飾品デザイン情報または同サンプルの中から選ばれた身飾品の枠に関する枠情報を前記端末に表示して提示する第２のステップと、
該第２のステップで提示した前記宝石情報及び前記枠情報の中から選ばれた宝石と枠とを組み合わせた身飾品を受注すると共に、身飾品の作成を依頼する第３のステップとを備える
身飾品販売方法。
【請求項５】
指輪の幅と内径に関する情報である指輪寸法情報を所定の端末に表示して提示する第１の提示工程と、指輪のサンプルを提示するサンプル提示工程とを有する第１のステップと、
前記第１のステップで提示した前記指輪寸法情報または前記サンプルの中から選ばれた指輪の素材に関する指輪素材情報を前記端末に表示して提示する第２のステップと、
該第２のステップで提示した前記指輪素材情報の中から選ばれた指輪を受注すると共に、指輪の作成を依頼する第３のステップとを備える
身飾品販売方法。
【発明の詳細な説明】
【技術分野】
【０００１】
本発明は身飾品販売システムおよび身飾品販売方法に関する。詳しくは、身飾品の販売効率を上げるとともに、消費者が充分に満足できる買い物の機会を提供できる身飾品販売システムおよび身飾品販売方法に係るものである。
【背景技術】
【０００２】
結婚の記念や大切な人への贈り物、また身飾品として指輪等の貴金属や宝石を用いた宝飾品類は購入される。これらの販売は、宝石を専門に扱う小売店においてなされることが一般的である。
【０００３】
また、小売店では、製造業者から商品の現物を購入し、店頭で商品そのものを提示して顧客に販売する方法が主な販売形態となっている。また、顧客は、商品を身に着けた際の外観や販売員の商品説明を聞いて購入のきっかけとしている。
【０００４】
ここで、小売店は商品の現物を購入するために資金が必要となり、また、店頭の品揃えを演出するためには、一定以上の商品数を揃えることが求められる。さらに、指輪については、デザイン毎または宝石の大きさ別に商品を揃えるために、多額の在庫を抱えるというリスクがあった。
【０００５】
また、商品の現物は顧客が購入することで店頭からなくなってしまうため、売れ行きのよい商品が早くなくなり、それ以外のものが残ってしまい、充分に顧客に商品選択の機会を提示できない場合がある。
【０００６】
こうしたなか、顧客に商品の画像や価格に関する情報を提示し、販売に結びつきやすい商品販売システムが存在し、例えば、特許文献１に商品販売システムが提案されている。
【０００７】
ここで、特許文献１には、図８に示すような商品販売システム１００が記載されている。商品販売システム１００は、仲介業者１０１が複数の製造業者１０２の商品の画像データ等を収集して、商品統合データ記録媒体１０３を作成する。
【０００８】
また、仲介業者１０１は、商品統合データ記録媒体１０３を小売業者１０４に送付して、小売業者１０４は商品統合データに基づいて、注文あるいは問い合わせ等を行うものとなっている。
【先行技術文献】
【特許文献】
【０００９】
【特許文献１】特開２００２−１１７２５１号公報
【発明の概要】
【発明が解決しようとする課題】
【００１０】
しかしながら、特許文献１の商品販売システムには、希望小売価格欄等のデータを表示する旨の記載が存在するが、宝飾品等の枠の素材となる貴金属の価格は、日々の地金相場に対応して変動するものである。即ち、商品の価格が地金相場に対応した適切なものとなっていないことも考えられ、顧客、小売店及び製造業者が不利益を被るおそれが存在する。
【００１１】
また、指輪やペンダントでは、デザインや宝石の大きさにより、指輪の枠を形成する貴金属の量が異なるために、地金相場を反映した枠のみの価格を即座に提供することが難しいという問題があった。
【００１２】
また、指輪は宝石と枠が既に一体化した商品を販売することが通例となっており、例えば、顧客は指輪のデザインが気に入った場合でも、宝石の大きさが気に入らない場合には、購入には至らないというケースが生じていた。
【００１３】
また、指輪の全周にダイアを留めたフルエタニティと呼ばれる指輪が存在する。このフルエタニティは、宝石の量を０．５ｃｔ、１ｃｔ、１．５ｃｔ、２ｃｔといった節目となる量に揃えて販売することが通例となっている。
【００１４】
このようにフルエタニティの指輪では、宝石の量を限定し、それに合わせて指輪を作成するため、指輪のサイズが限定され、顧客は自分の指にあった幅やサイズ内径のフルエタニティの指輪を購入しづらい状況が存在した。
【００１５】
本発明は、以上の点に鑑みて創案されたものであり、身飾品の販売効率を上げるとともに、消費者が充分に満足できる買い物の機会を提供できる身飾品販売システムおよび身飾品販売方法を提供することを目的とする。
【課題を解決するための手段】
【００１６】
上記の目的を達成するために、本発明の身飾品販売システムは、宝石と該宝石に取付けられる枠とを有する身飾品のデザインに関する情報である身飾品デザイン情報を表示する第１の表示工程と、該第１の表示工程で表示した前記身飾品デザイン情報の中から選ばれた身飾品の宝石の大きさに関する宝石情報と、前記第１の表示工程で表示した前記身飾品デザイン情報の中から選ばれた身飾品の枠に関する枠情報を表示する第２の表示工程と、該第２の表示工程で表示した前記宝石情報及び前記枠情報の中から選ばれた宝石と枠とを組み合わせた身飾品を身飾品受注情報として、記憶若しくは送信する受注情報処理工程とを備える。
【００１７】
ここで、宝石と宝石に取付けられる枠とを有する身飾品のデザインに関する情報である身飾品デザイン情報を表示する第１の表示工程を有することによって、指輪やペンダント等のデザインを写真データ等で表示することができる。例えば、指輪に留められた宝石の数が同じ１０ピースの枠でデザインが異なる指輪を並べて、外観を比較することができる。
【００１８】
また、第１の表示工程で表示した身飾品デザイン情報の中から選ばれた身飾品の宝石の大きさに関する宝石情報を表示する第２の表示工程を有することによって、選択した身飾品のデザインが対応している宝石のカラット数の情報を表示することができる。
【００１９】
また、第１の表示工程で表示した身飾品デザイン情報の中から選ばれた身飾品の枠に関する枠情報を表示する第２の表示工程を有することによって、選択した身飾品のデザインの枠の情報を表示することができる。例えば、枠を形成する貴金属の種類の情報を表示することができる。
【００２０】
また、第２の表示工程で表示した宝石情報及び枠情報の中から選ばれた宝石と枠とを組み合わせた身飾品を身飾品受注情報として、記憶若しくは送信する受注情報処理工程を有することによって、顧客からの受注情報をサーバや端末に記憶させることができる。また、顧客からの受注情報をサーバや端末に送信することができる。
【００２１】
また、第２の表示工程が、第１の表示工程で表示した身飾品デザイン情報の中から選ばれた身飾品の枠を形成するのに必要な素材の量に関する素材量情報を表示する場合には、選択した身飾品のデザインに対応した枠を形成する貴金属の量を表示することができる。また、選択した身飾品の宝石の大きさに対応した枠を形成する貴金属の量を表示することができる。
【００２２】
また、第２の表示工程が、第１の表示工程で表示した身飾品デザイン情報の中から選ばれた身飾品の枠を形成するのに必要な素材の量に関する素材量情報を表示すると共に、素材の相場及び素材量情報に対応した枠価格情報を表示する場合には、身飾品の枠を形成する貴金属の価格を即座に知ることができる。即ち、貴金属の地金相場に応じた価格と、選択した身飾品のデザインの形成に必要な貴金属の量に応じた価格の両方を反映した枠の価格を知ることができる。
【００２３】
また、上記の目的を達成するために、本発明の身飾品販売システムは、指輪の幅と内径に関する情報である指輪寸法情報を表示する第１の表示工程と、該第１の表示工程で表示した前記指輪寸法情報の中から選ばれた指輪の素材に関する指輪素材情報を表示する第２の表示工程と、該第２の表示工程で表示した前記指輪素材情報の中から選ばれた素材で形成された指輪を指輪受注情報として、記憶若しくは送信する受注情報処理工程とを備える。
【００２４】
ここで、指輪の幅と内径に関する情報である指輪寸法情報を表示する第１の表示工程を有することによって、顧客が購入可能な指輪の幅とサイズの情報や外観を表示することができる。例えば、フルエタニティの指輪の販売に用いる場合には、幅やサイズを選択できるだけでなく、幅が異なる指輪を並べて、外観を比較することができる。
【００２５】
また、第１の表示工程で表示した指輪寸法情報の中から選ばれた指輪の素材に関する指輪素材情報を表示する第２の表示工程を有することによって、選択した指輪の枠を形成する貴金属の種類の情報を表示することができる。
【００２６】
また、第２の表示工程で表示した指輪素材情報の中から選ばれた素材で形成された指輪を指輪受注情報として、記憶若しくは送信する受注情報処理工程を有することによって、顧客からの受注情報をサーバや端末に記憶させることができる。また、顧客からの受注情報をサーバや端末に送信することができる。
【００２７】
また、上記の目的を達成するために、本発明の身飾品販売方法は、宝石と該宝石に取付けられる枠とを有する身飾品のデザインに関する情報である身飾品デザイン情報を所定の端末に表示して提示する第１の提示工程と、宝石と該宝石に取付けられる枠とを有する身飾品のサンプルを提示するサンプル提示工程とを有する第１のステップと、該第１のステップで提示した前記身飾品デザイン情報または前記サンプルの中から選ばれた身飾品の宝石の大きさに関する宝石情報と、同第１のステップで提示した同身飾品デザイン情報または同サンプルの中から選ばれた身飾品の枠に関する枠情報を前記端末に表示して提示する第２のステップと、該第２のステップで提示した前記宝石情報及び前記枠情報の中から選ばれた宝石と枠とを組み合わせた身飾品を受注すると共に、身飾品の作成を依頼する第３のステップとを備える。
【００２８】
ここで、宝石と宝石に取付けられる枠とを有する身飾品のデザインに関する情報である身飾品デザイン情報を所定の端末に表示して提示する第１の提示工程を有することによって、指輪やペンダント等のデザインを写真データ等で表示して顧客に提示することができる。
【００２９】
また、宝石と宝石に取付けられる枠とを有する身飾品のサンプルを提示するサンプル提示工程を有することによって、商品の現物を購入することなく、顧客に商品の現物に近い外観を確認してもらうことができる。
【００３０】
また、第１のステップで提示した身飾品デザイン情報またはサンプルの中から選ばれた身飾品の宝石の大きさに関する宝石情報を端末に表示して提示する第２のステップを有することによって、選択した身飾品のデザインが対応している宝石のカラット数の情報を表示して顧客に提示することができる。
【００３１】
また、第１のステップで提示した身飾品デザイン情報またはサンプルの中から選ばれた身飾品の枠に関する枠情報を端末に表示して提示する第２のステップを有することによって、選択した身飾品のデザインの枠の情報を表示して提示することができる。
【００３２】
また、第２のステップで提示した宝石情報及び枠情報の中から選ばれた宝石と枠とを組み合わせた身飾品を受注すると共に、身飾品の作成を依頼する第３のステップを有することによって、顧客の要望に応じた宝石と枠との組合せからなる身飾品を顧客に提供することができる。また、顧客から受注を受けて、商品の作成を行う販売形態となるので、店舗に大量の在庫を抱える必要がなくなる。
【００３３】
また、上記の目的を達成するために、本発明の身飾品販売方法は、指輪の幅と内径に関する情報である指輪寸法情報を所定の端末に表示して提示する第１の提示工程と、指輪のサンプルを提示するサンプル提示工程とを有する第１のステップと、前記第１のステップで提示した前記指輪寸法情報または前記サンプルの中から選ばれた指輪の素材に関する指輪素材情報を前記端末に表示して提示する第２のステップと、該第２のステップで提示した前記指輪素材情報の中から選ばれた指輪を受注すると共に、指輪の作成を依頼する第３のステップとを備える。
【００３４】
ここで、指輪のサンプルを提示するサンプル提示工程を有することによって、商品の現物を購入することなく、顧客に商品の現物に近い外観を確認してもらうことができる。
【００３５】
また、第２のステップで提示した指輪素材情報の中から選ばれた指輪を受注すると共に、指輪の作成を依頼する第３のステップを有することによって、顧客の要望に応じた宝石と枠との組合せからなる身飾品を顧客に提供することができる。また、顧客から受注を受けて、商品の作成を行う販売形態となるので、店舗に大量の在庫を抱える必要がなくなる。
【発明の効果】
【００３６】
本発明に係る身飾品販売システムは、身飾品の販売効率を上げるとともに、消費者が充分に満足できる買い物の機会を提供することができる。
本発明に係る身飾品販売方法は、身飾品の販売効率を上げるとともに、消費者が充分に満足できる買い物の機会を提供することができる。
【図面の簡単な説明】
【００３７】
【図１】本発明を適用した身飾品販売システムの構成の一例を示す概略図である。
【図２】商品リストページを示す概略図である。
【図３】商品デザインページを示す概略図である。
【図４】個別商品情報ページを示す概略図である。
【図５】フルエタニティリストページを示す概略図である。
【図６】フルエタニティ情報ページを示す概略図である。
【図７】本発明を適用した身飾品販売方法のフローチャートを示す概略図である。
【図８】従来の広告支援システムを示す概略図である。
【発明を実施するための形態】
【００３８】
以下、本発明の実施の形態について図面を参照しながら説明し、本発明の理解に供する。
図１は、本発明を適用した身飾品販売システムの構成の一例を示す概略図である。
【００３９】
図１に示すように、本発明を適用した身飾品販売システム１は、小売店で使用されるタブレット端末２と、販売用サーバ３と、指輪等の製造業者が使用する製造業者端末４を備える。
【００４０】
また、タブレット端末２と、販売用サーバ３と、製造業者端末４はそれぞれ、インターネット５を介して繋がっている。
【００４１】
また、タブレット端末２は、顧客が注文した商品の情報について記憶する受注情報記憶データベース１９を有する。また、タブレット端末２は、顧客の注文情報を販売用サーバ３や製造業者端末４に送信する注文情報送信部２０を有する。
【００４２】
ここで、必ずしも、身飾品販売システム１には、指輪等の製造業者が使用する製造業者端末４が存在する必要はない。但し、顧客からの受注情報や商品の制作依頼の情報が小売店と製造業者との間で共有しやすくなる点から、身飾品販売システム１には、指輪等の製造業者が使用する製造業者端末４が存在することが好ましい。
【００４３】
また、必ずしも、タブレット端末２が受注情報記憶データベース１９を有する必要はなく、販売用サーバ若しくは製造業者端末４が受注情報記憶データベース１９を有していてもよい。
【００４４】
また、必ずしも、タブレット端末２が注文情報送信部２０を有する必要はなく、販売用サーバが注文情報送信部２０を有していてもよい。
【００４５】
図１に示すタブレット端末２には、販売用ソフトウェア６が備えられており、この販売用ソフトウェア６を用いることで、商品に関する各種の情報を表示することができるものとなっている。
【００４６】
ここで、必ずしも、小売店で使用される端末はタブレット端末２である必要はなく、ソフトウェアを用いることが出来れば端末の形態が限定されるものではない。但し、持ち運びが容易である点や、画面上で商品画像データを鮮明に表示できる点、及び顧客に情報を素早く提示できる点から、小売店で使用される端末はタブレット端末２であることが好ましい。
【００４７】
また、必ずしも、販売用ソフトウェア６がタブレット端末２に備えられる必要はなく、小売店で使用する端末から、ＡＳＰ（Ａｐｐｌｉｃａｔｉｏｎ  Ｓｅｒｖｉｃｅ  Ｐｒｏｖｉｄｅｒ）を利用して、専用のサーバで同様の機能を発揮させることもできる。
【００４８】
販売用ソフトウェア６は、図２に示すような、指輪やペンダントといった身飾品の種類や取り付けられた宝石の数で分類された商品リストページ７を有する。商品リストページ７では、顧客が求める身飾品の条件に応じて、商品の種類を選択することができる。
【００４９】
また、販売用ソフトウェア６は、図３に示すような、商品リストページ７で選択した商品群を一覧できる商品デザインページ８を有する。商品デザインページ８では、共通のカテゴリ、例えば、製品のデザインや、使用される宝石の数等の共通点を有する商品群の写真データを掲載し、一覧して外観を比較できるようになっている。
【００５０】
また、商品デザインページ８は、図３のように、写真データのみを画面上に大きく表示してもよいし、型番や、商品に関連する情報と写真の両方を並べて表示してもよく、その表示方法は特に限定されるものではない。
【００５１】
ここで、商品リストページ７および商品デザインページ８の表示は第１の表示工程の一例であって、必ずしも商品リストページ７および商品デザインページ８の構成で表示がされる必要はない。但し、検索やデザインの外観の比較が容易になる点から、商品リストページ７および商品デザインページ８の構成で表示がされることが好ましい。
【００５２】
また、販売用ソフトウェア６は、図４に示すような、商品デザインページ８で選択した商品についての個別商品情報ページ９を有する。個別商品情報ページ９には、個別商品の写真データ、型番をはじめ、その商品デザインに対応する対応カラット数情報１０と、その商品の枠を形成する貴金属の種類ごとの必要な枠形成量情報１１と、宝石の大きさ、貴金属の種類、枠の形成に必要な金属量、および貴金属相場を反映した枠価格情報１２が表示されている。
【００５３】
また、枠価格情報１２は、貴金属の１ｇあたりの相場を一定範囲で分け、その金属相場範囲に対応した枠価格をあらかじめ設定して、表示するものとなっている。例えば、「１ｇが２，５００〜３，０００円の範囲内で、枠形成量が５ｇであれば、５万円」といったように、即座に枠の価格を知ることができるものとなっている。
【００５４】
さらに、個別商品情報ページ９には、指輪のサイズが大きくなるのに応じて、追加でかかる費用情報なども掲載することができる。
【００５５】
また、個別商品情報ページ９は、選択した宝石のカラット数での枠価格を表示するものとなっており、宝石のカラット数を変えた場合には、それに対応した枠価格に切り替わる構成となっている。
【００５６】
ここで、個別商品情報ページ９の表示は第２の表示工程の一例であって、必ずしも個別商品情報ページ９の中に、対応カラット数情報１０と枠形成量情報１１と枠価格情報１２を含む構成で表示される必要はない。但し、１つの商品に関する情報が見やすく、顧客への説明が容易になる点から、個別商品情報ページ９の中に、対応カラット数情報１０と枠形成量情報１１と枠価格情報１２を含む構成で表示されることが好ましい。
【００５７】
図５（ａ）に示すような、販売用ソフトウェア６は、フルエタニティの指輪に関するフルエタニティリストページ１３を有する。これは、商品リストページ７の中に含まれるものとしてもよい。
【００５８】
また、販売用ソフトウェア６は、図５（ｂ）に示すような、幅が異なるフルエタニティの指輪の外観ページ１４を有する。外観ページ１４では、幅が異なる複数のフルエタニティの指輪の写真データを掲載し、一覧して外観を比較できるようになっている。
【００５９】
また、外観ページ１４は、図５（ｂ）のように、写真データのみを画面上に大きく表示してもよいし、型番や、商品に関連する情報と写真の両方を並べて表示してもよく、その表示方法は特に限定されるものではない。
【００６０】
また、販売用ソフトウェア６は、図６に示すような、フルエタニティリストページ１３または外観ページ１４で選択した指輪についてのフルエタニティ情報ページ１５を有する。フルエタニティ情報ページ１５には、商品の写真データ、型番をはじめ、その指輪に対応する指輪内径サイズ情報１６と、その指輪の枠を形成する貴金属の種類ごとの必要なフルエタニティ枠形成量情報１７と、指輪の幅、内径サイズ、貴金属の種類、枠の形成に必要な金属量、および貴金属相場を反映したフルエタニティ枠価格情報１８とが表示されている。
【００６１】
また、フルエタニティ情報ページ１５には、指輪の内径サイズを変更する際の作り変え価格情報を表示することもできる。作り替えの場合には、メインのダイヤモンドの脇石として取り付けられるメレ石と呼ばれる小粒のダイヤモンドの数が異なってくる。そこで、作り変えに必要となるメレ石１個あたりの追加のメレ石価格情報を含めることもできる。
【００６２】
また、フルエタニティ情報ページ１５は、好みの幅を選択した指輪の内径サイズに対応する枠価格を表示するものとなっており、内径サイズを変えた場合には、それに対応した、枠価格に切り替わる構成となっている。
【００６３】
ここで、外観ページ１４及びフルエタニティ情報ページ１５の表示は、指輪寸法情報を表示する第１の表示工程の一例であって、指輪の幅と内径に関する情報である指輪寸法情報を表示するものであれば内容が特に限定されるものではない。
【００６４】
また、本説明においては、指輪の幅は外観ページ１４に、指輪の内径サイズはフルエタニティ情報ページ１５にそれぞれ表示されているが、指輪の幅と内径サイズを１つのページで一括して表示することもできる。但し、掲載が必要な情報量が多くなり、表示がわかりづらくなることを防止する点から、指輪の幅は外観ページ１４に、指輪の内径サイズはフルエタニティ情報ページ１５にそれぞれ表示される構成が好ましい。
【００６５】
また、フルエタニティ情報ページ１５の表示は、指輪素材情報を表示する第２の表示工程の一例であって、指輪寸法情報の中から選ばれた指輪の素材に関する指輪素材情報を表示するものであれば内容が特に限定されるものではない。
【００６６】
また、タブレット端末２は、個別商品情報ページ９、若しくは、フルエタニティ情報ページ１５の表示の中から顧客が選択し、注文した商品の情報について記憶する受注情報記憶データベース１９を有している。受注情報記憶データベース１９には顧客に関する情報や注文履歴等が記憶される。
【００６７】
また、タブレット端末２は、顧客の注文情報を販売用サーバ３や製造業者端末４に送信する注文情報送信部２０を有する。顧客の注文情報についてサーバ上で管理することや、製造業者に迅速に注文することが可能となる。
【００６８】
また、タブレット端末２は、販売サーバ３から新規の商品ラインナップに関する情報を受信し、販売用ソフトウェア６の商品に関する情報を更新することができる。
【００６９】
以下、本発明に実施形態ついて図面を参照しながら説明する。
図７は、本発明を適用した身飾品販売方法のフローチャートを示す概略図である。
【００７０】
ここでは、前述した身飾品販売システム１を用いて、指輪の販売を行う際の流れを説明する。なお、ここで示す販売方法は、本発明を適用した身飾品販売方法の一例であり、販売方法は以下に示すものに限定されるものではない。
【００７１】
まず、図７に示すように、顧客が求める指輪の情報を取得し（Ｓ１）、タブレット端末２を用いて、商品リストページ７の中から該当する商品の情報を検索する（Ｓ２）。商品リストページ７は指輪の特徴ごとに分類されているので、端末を扱う店員は、顧客の条件にあった指輪が含まれる商品群を容易に検索することができる。
【００７２】
また、商品リストページ７の商品群から１つを選択し、商品デザインページ８を表示する（Ｓ３）。商品デザインページ８には、複数のデザインの指輪の写真データが表示されている。店員はタブレット端末２の画面を顧客に提示し、複数の指輪のデザインを比較してもらうことができる。
【００７３】
また、複数のデザインの指輪を再現したシルバーサンプルを用いて商品説明を行うこともできる（Ｓ３）。タブレット端末２の画面上での情報提示だけでなく、実際の商品の質感や、指にはめた際の外観を顧客に伝えることができる。
【００７４】
ここで、シルバーサンプルはサンプル提示工程で用いるサンプルの一例であり、サンプルの種類はシルバーサンプルに限定されるものではない。但し、精巧に作られていることから外観が商品の現物に近く、なおかつ商品の現物よりも安い価格で店頭に揃えることができる点から、サンプル提示工程ではシルバーサンプルが用いられることが好ましい。
【００７５】
このように、商品デザインページ８やシルバーサンプルを提示することで顧客が選択した指輪について、タブレット端末２の販売用ソフトウェア６を用いて、該当する指輪の個別商品情報ページ９を表示して、顧客に商品に関する情報を提示する（Ｓ４）。
【００７６】
個別商品情報ページ９には、写真データ、型番をはじめ、その商品デザインに対応する対応カラット数情報１０と、その商品の枠を形成する貴金属の種類ごとの必要な枠形成量情報１１と、宝石の大きさ、貴金属の種類、枠の形成に必要な金属量、および貴金属相場を反映した枠価格情報１２とが表示されている。
【００７７】
特に、枠価格情報１２については、通常であれば、宝石の大きさ、指輪のデザイン、枠を形成する貴金属の種類および貴金属の地金相場に対応して価格が変動するため、価格を尋ねられた際に、店員が即答することは難しかった。しかしながら、タブレット端末２上には、瞬時に指輪の枠価格情報１２が表示されるため、迅速な価格提示が可能となる。
【００７８】
また、指輪の価格に関する情報を提示した後、購入に至った場合には、顧客からの注文の情報をタブレット端末２の受注情報記憶データベース１９に入力し、記憶させる（Ｓ５）。また、受注情報について、タブレット端末２の注文情報送信部２０からインターネット５を介して販売用サーバ３や製造業者端末に情報が送信される仕組みとなっている（Ｓ５）。
【００７９】
また、顧客の注文情報は必ずしも端末やサーバを介してやり取りされる必要はなく、これに代わる手段により、指輪の作成依頼を製造業者にすることもできる。
【００８０】
ここまでが、身飾品販売システム１を用いた販売方法の一例である。また、フルエタニティの指輪を販売する場合には、以下の点が異なるものとなる。
【００８１】
まず、タブレット端末２のフルエタニティリストページ１３を選択する。そして、表示される外観ページ１４により、顧客に対して、幅が異なる複数のフルエタニティの指輪の外観を写真データで提示することができる。
【００８２】
また、外観ページ１４だけでなく、幅が異なるフルエタニティの指輪を再現したシルバーサンプルを用いて商品説明を行うことができる点は同様である。
【００８３】
次に、好みの指輪の幅を選択してもらった後に、該当する指輪のフルエタニティ情報ページ１５を表示して、顧客に対して商品に関する情報を提示する。
【００８４】
フルエタニティ情報ページ１５では、商品の写真データ、型番をはじめ、その指輪に対応する指輪内径サイズ情報１６と、その指輪の枠を形成する貴金属の種類ごとの必要なフルエタニティ枠形成量情報１７と、指輪の幅、内径サイズ、貴金属の種類、枠の形成に必要な金属量、および貴金属相場を反映したフルエタニティ枠価格情報１８とが表示されている。顧客が求める指輪の内径サイズに対応した情報を表示して、商品価格を提示することができる。それ以後の注文等に関する流れは同様である。
【００８５】
以上の様に、本発明を適用した身飾品販売方法では、効率的に商品の販売をすることが可能であり、また顧客が商品の購入に際して充分に満足のいく買い物ができるものとなっている。以下、本発明が有する利点について述べる。
【００８６】
１つ目には、身飾品の価格、特に枠の価格を即座に提示できる点で優れている。顧客はデザインや宝石の大きさにより商品を選択するケースもあるが、予算を目安に商品を選ぶケースも存在する。そのような際に、枠価格を含めた商品全体の価格を即座に提示し、予算に応じた商品説明が可能となることから、顧客を満足させつつ、販売の機会を増やすことができる。
【００８７】
また、価格を含め商品の情報を即座に顧客に提示できることで、経験の浅い販売員であっても販売実績を伸ばすことができる。即ち、人員の確保や育成のみに依存することなく、店舗の販売力を向上させることができる。
【００８８】
２つ目には、タブレット端末による鮮明な画像データや本物同様のシルバーサンプルを提示することで、顧客に充分に商品の魅力を伝えることができるのと同時に、在庫負担を減らすことができる点で優れている。
【００８９】
従来は、商品の現物を購入し、在庫として抱える仕組みであったために、商品購入のための資金が必要であった。また、在庫と商品が１対１の関係であったため、店頭の商品の品揃えを演出することは難しかった。しかし、本発明を適用した身飾品販売方法を用いることで、１つの商品に対して、宝石の大きさ別やデザイン別など幅広いバリエーションを提示することが可能となった。
【００９０】
また、シルバーサンプルは商品の現物に比べて低価格で購入できるため、店舗が在庫負担を抱えることなく、店頭の品揃えを豊富なものにすることができる。またサンプルは、顧客に販売するものではないので、経費で導入することができ、この点でも店舗に利点が生じる。
【００９１】
３つ目には、顧客の望む宝石と枠を組み合わせたオーダーメイドによる受注方式を採用できる点で優れている。従来は、指輪では宝石と枠が一体化されたものが商品として販売されていたため、顧客がデザインを気に入っても、宝石の品質や価格の面から販売につながらないケースが多々存在した。また、宝石を気に入ってもデザインが気に入られずに、販売につながらないケースもあった。
【００９２】
しかしながら、宝石と枠を予算に応じて別々に選択することができる仕組みであることから、商品が購入されやすくなり、顧客の満足も得ることができる。また、受注を受けてから商品を販売するために投資資本の削減につながり、店舗の経営の安定化が図れる利点も存在する。さらに、同様の方法を用いることで、指輪のリフォーム対応も可能であり、販売の機会を拡大することができる。
【００９３】
また、店舗がプラチナや金で在庫した商品であっても、その商品の宝石の大きさを変更する際に、素材の相場変動に対応した価格を提示することができる仕組みとなっている。
【００９４】
４つ目には、フルエタニティの指輪について、顧客の求めるサイズで提供できるようになっている点で優れている。従来は一定のサイズにあった人のみが購入できていた商品であるが、販売方法を変えることでサイズの問題が解消された。また、小売店はシルバーサンプルを用いることで、サイズ別に商品の現物の在庫を抱えるというリスクを負う必要がなくなった。
【００９５】
以上のように、本発明の身飾品販売方法は、顧客に対して充分な商品説明を可能にし、店舗の在庫負担を減らしつつ、効率よく商品を販売することができる。また、顧客が望む商品を購入できるもの仕組みとなっているため、顧客満足を得つつ、販売力を拡大できるものとなっている。
【００９６】
従って、本発明に係る身飾品販売システムは、身飾品の販売効率を上げるとともに、消費者が充分に満足できる買い物の機会を提供できる。
また、本発明に係る身飾品販売方法は、身飾品の販売効率を上げるとともに、消費者が充分に満足できる買い物の機会を提供できる。
【符号の説明】
【００９７】
１      身飾品販売システム
２      タブレット端末
３      販売用サーバ
４      製造業者端末
５      インターネット
６      販売用ソフトウェア
７      商品リストページ
８      商品デザインページ
９      個別商品情報ページ
１０      対応カラット数情報
１１      枠形成量情報
１２      枠価格情報
１３      フルエタニティリストページ
１４      外観ページ
１５      フルエタニティ情報ページ
１６      指輪内径サイズ情報
１７      フルエタニティ枠形成量情報
１８      フルエタニティ枠価格情報
１９      受注情報記憶データベース
２０      注文情報送信部
【図１】
2014130426.tif 000003
【図２】
2014130426.tif 000004
【図３】
2014130426.tif 000005
【図４】
2014130426.tif 000006
【図５】
2014130426.tif 000007
【図６】
2014130426.tif 000008
【図７】
2014130426.tif 000009
【図８】
2014130426.tif 000010